(57)【要約】【課題】メディアプレーヤーが記憶している画像を、簡易に、複数の人で共有して鑑賞することが可能な投写型画像表示装置を提供する。【解決手段】投写型画像表示装置（プロジェクター１）は、携帯可能であって、投写型画像表示装置と一体に形成され、表示部１２０と操作部（操作パネル１１０）とを有するメディアプレーヤーとしてのメディアプレーヤー部１００と、メディアプレーヤー部１００が出力する画像情報が入力される画像情報入力部（画像入力選択部３１）と、光源１１と、光源１１から射出された光を画像情報に応じて変調して画像を形成する光変調装置（液晶ライトバルブ１２）と、光変調装置で形成された画像を投写する投写光学系（投写レンズ１３０）と、を備える。【選択図】図２
2010217825.tif 000002
【特許請求の範囲】
【請求項１】
携帯可能な投写型画像表示装置であって、
前記投写型画像表示装置と一体に形成され、表示部と操作部とを有するメディアプレーヤーとしてのメディアプレーヤー部と、
前記メディアプレーヤー部が出力する画像情報が入力される画像情報入力部と、
光源と、
前記光源から射出された光を前記画像情報に応じて変調して画像を形成する光変調装置と、
前記光変調装置で形成された前記画像を投写する投写光学系と、
を備えることを特徴とする投写型画像表示装置。
【請求項２】
請求項１に記載の投写型画像表示装置であって、
前記メディアプレーヤー部は、前記画像情報に基づく前記画像を前記表示部に表示させるか否か選択させる表示選択部を有することを特徴とする投写型画像表示装置。
【請求項３】
請求項１または２に記載の投写型画像表示装置であって、
前記メディアプレーヤー部が出力する音声情報が入力される音声情報入力部と、
前記音声情報入力部に入力された前記音声情報に基づいて音声を出力する音声出力部と、
をさらに有することを特徴とする投写型画像表示装置。
【請求項４】
請求項１乃至３のいずれか一項に記載の投写型画像表示装置であって、
前記メディアプレーヤー部の前記操作部が受け付けた入力操作に基づいた制御情報を入力する制御情報入力部と、
前記制御情報入力部に入力された前記制御情報に基づいて、前記投写型画像表示装置を制御する制御部と、
をさらに有することを特徴とする投写型画像表示装置。
【請求項５】
請求項４に記載の投写型画像表示装置であって、
前記制御情報入力部に入力される前記制御情報には、少なくとも前記投写型画像表示装置の投写輝度を制御するための輝度情報、または、前記投写型画像表示装置の音量を制御するための音量情報を含むことを特徴とする投写型画像表示装置。
【請求項６】
請求項１乃至５のいずれか一項に記載の投写型画像表示装置であって、
前記メディアプレーヤー部は、時計機能を有して、所定の時刻に投写を開始させるための投写開始情報を前記制御情報として出力し、
前記制御情報入力部は、前記投写開始情報を入力し、
前記制御部は、前記制御情報入力部が入力した前記投写開始情報に応じて、前記画像の投写を開始することを特徴とする投写型画像表示装置。
【請求項７】
請求項１乃至６のいずれか一項に記載の投写型画像表示装置であって、
ＩＰネットワークと通信し、前記ＩＰネットワークから前記画像情報や前記音声情報を含むマルチメディアデータを入力するネットワーク通信部と、
前記ネットワーク通信部が入力した前記マルチメディアデータを前記メディアプレーヤー部に出力する情報出力部と、
をさらに有することを特徴とする投写型画像表示装置。
【請求項８】
請求項１乃至７のいずれか一項に記載の投射型表示装置であって、
前記メディアプレーヤー部は前記投写型画像表示装置から着脱可能とし、
前記投写型画像表示装置には、前記メディアプレーヤー部を一体的に装着できる装着部を有していることを特徴とする投射型画像表示装置。
【請求項９】
請求項８に記載の投写型画像表示装置であって、
入力操作を受け付ける入力操作部と、
前記メディアプレーヤー部が前記装着部に装着された場合に、前記入力操作部の入力操作を無効にする入力操作無効化部と、
をさらに有することを特徴とする投写型画像表示装置。
【請求項１０】
請求項８または９に記載の投写型画像表示装置であって、
前記メディアプレーヤー部が前記装着部に装着されると、前記メディアプレーヤー部から入力された前記画像情報に基づいた前記画像の投写を開始する投写開始部を、さらに有することを特徴とする投写型画像表示装置。
【請求項１１】
請求項８乃至１０のいずれか一項に記載の投写型画像表示装置であって、
前記メディアプレーヤー部は、当該メディアプレーヤー部の前記表示部で表示に用いられる言語の情報としての言語情報を前記制御情報として出力し、
前記制御情報入力部は、前記言語情報を入力し、
前記制御部は、前記制御情報入力部が入力した前記言語情報に基づいて、前記投写型画像表示装置が表示に用いる言語の設定を変更することを特徴とする投写型画像表示装置。
【発明の詳細な説明】
【技術分野】
【０００１】
本発明は、投写型画像表示装置に関する。
【背景技術】
【０００２】
従来、携帯型のメディアプレーヤーが記憶している画像を、複数の人で共有して鑑賞したいという要望があった。このような場合には、例えば、メディアプレーヤーの出力コネクターにビデオケーブルを接続し、そのビデオケーブルを介して、プロジェクター等の投射型画像表示装置に画像情報を入力し、画像投写するものが知られていた。また、特許文献１には、メディアプレーヤーを装着するドッキングステーションが開示されている。このようなドッキングステーションに、ビデオケーブルを接続し、そのビデオケーブルを介して、投射型画像表示装置に画像情報を入力し、画像投写することも可能である。
【先行技術文献】
【特許文献】
【０００３】
【特許文献１】特表２００６−５２４８７７号公報
【発明の概要】
【発明が解決しようとする課題】
【０００４】
しかしながら、メディアプレーヤーやドッキングステーションと、投写型画像表示装置とをビデオケーブル等で接続し、画像を投写する態様では、ケーブルの配線が面倒であったり、携帯性が損なわれて、装置の設置の自由度が低下したりするという課題があった。
【課題を解決するための手段】
【０００５】
本発明は、上述の課題の少なくとも一部を解決するためになされたものであり、以下の形態または適用例として実現することが可能である。
【０００６】
［適用例１］本適用例に係る投写型画像表示装置は、携帯可能な投写型画像表示装置であって、前記投写型画像表示装置と一体に形成され、表示部と操作部とを有するメディアプレーヤーとしてのメディアプレーヤー部と、前記メディアプレーヤー部が出力する画像情報が入力される画像情報入力部と、光源と、前記光源から射出された光を前記画像情報に応じて変調して画像を形成する光変調装置と、前記光変調装置で形成された前記画像を投写する投写光学系と、を備えることを特徴とする。
【０００７】
このような投写型画像表示装置によれば、メディアプレーヤーとしてのメディアプレーヤー部は、投写型画像表示装置と一体に形成されている。画像情報入力部は、メディアプレーヤー部が出力する画像情報を入力する。そして、投写型画像表示装置は、画像情報に基づいた画像を投写光学系から投写する。これにより、メディアプレーヤー部が記憶する画像情報に基づいた画像を複数の人で共有して鑑賞することが可能となる。また、ケーブル等の配線を不要とし、投写型画像表示装置とメディアプレーヤー部とが一体に形成された態様で画像を投写することが可能になるため、利便性が向上する。また、携帯性が向上し、投写型画像表示装置の設置の自由度も向上する。
【０００８】
［適用例２］上記適用例に係る投写型画像表示装置において、前記メディアプレーヤー部は、前記画像情報に基づく前記画像を前記表示部に表示させるか否か選択させる表示選択部を有することを特徴とする。
【０００９】
このような投写型画像表示装置によれば、メディアプレーヤー部は、画像情報をメディアプレーヤー部の表示部に表示させるか否かを選択させる表示選択部を有する。これにより、ユーザーがメディアプレーヤー部の表示部に画像を表示させるか否かを選択することが可能となるため、例えば、投写面に投写された画像が不明瞭な場合においても、表示部によって画像を視認することが可能となる。
【００１０】
［適用例３］上記適用例に係る投写型画像表示装置において、前記メディアプレーヤー部が出力する音声情報が入力される音声情報入力部と、前記音声情報入力部に入力された前記音声情報に基づいて音声を出力する音声出力部と、をさらに有することを特徴とする。
【００１１】
このような投写型画像表示装置によれば、音声情報入力部は、メディアプレーヤー部から音声情報を入力する。そして、音声出力部はその音声情報に基づいて音声を出力する。これにより、ケーブル等の配線を不要とし、投写型画像表示装置とメディアプレーヤー部とが一体に形成された態様で音声を出力することが可能になるため、利便性が向上する。また、携帯性が向上し、投写型画像表示装置の設置の自由度も向上する。
【００１２】
［適用例４］上記適用例に係る投写型画像表示装置において、前記メディアプレーヤー部の前記操作部が受け付けた入力操作に基づいた制御情報を入力する制御情報入力部と、前記制御情報入力部に入力された前記制御情報に基づいて、前記投写型画像表示装置を制御する制御部と、をさらに有することを特徴とする。
【００１３】
このような投写型画像表示装置によれば、制御情報入力部は、メディアプレーヤー部から制御情報を入力する。ここで、メディアプレーヤー部は、操作部が受け付けた入力操作に基づいた制御情報を出力するものとする。そして、制御部は、制御情報に基づいて投写型画像表示装置を制御する。これにより、ユーザーは、メディアプレーヤー部の操作部に対して入力操作することで、投写型画像表示装置を操作制御することが可能になる。
【００１４】
［適用例５］上記適用例に係る投写型画像表示装置において、前記制御情報入力部に入力される前記制御情報には、少なくとも前記投写型画像表示装置の投写輝度を制御するための輝度情報、または、前記投写型画像表示装置の音量を制御するための音量情報を含むことを特徴とする。
【００１５】
このような投写型画像表示装置によれば、制御情報入力部に入力される制御情報は、少なくとも投写輝度を制御するための輝度情報、または、音量を制御するための音量情報を含む。これにより、ユーザーは、メディアプレーヤー部の操作部に対して入力操作することで、投写型画像表示装置の投写輝度や音量を制御することが可能になるため、有益である。
【００１６】
［適用例６］上記適用例に係る投写型画像表示装置において、前記メディアプレーヤー部は、時計機能を有して、所定の時刻に投写を開始させるための投写開始情報を前記制御情報として出力し、前記制御情報入力部は、前記投写開始情報を入力し、前記制御部は、前記制御情報入力部が入力した前記投写開始情報に応じて、前記画像の投写を開始することを特徴とする。
【００１７】
このような投写型画像表示装置によれば、制御情報入力部は、メディアプレーヤー部から投写開始情報を入力する。ここで、メディアプレーヤー部は、時計機能を有しており、所定の時刻に投写開始情報を出力する。そして、制御部は、投写開始情報に応じて画像の投写を開始するように制御する。これにより、投写型画像表示装置は、所定の時刻に画像の投写を開始することが可能となるため、有益である。
【００１８】
［適用例７］上記適用例に係る投写型画像表示装置において、ＩＰネットワークと通信し、前記ＩＰネットワークから前記画像情報や前記音声情報を含むマルチメディアデータを入力するネットワーク通信部と、前記ネットワーク通信部が入力した前記マルチメディアデータを前記メディアプレーヤー部に出力する情報出力部と、をさらに有することを特徴とする。
【００１９】
このような投写型画像表示装置によれば、ネットワーク通信部は、ＩＰ（Internet Protocol）ネットワークと通信可能とする。そして、ネットワーク通信部は、ＩＰネットワークから画像情報や音声情報を含むマルチメディアデータを入力する。そして、情報出力部は、マルチメディアデータをメディアプレーヤー部に出力する。ここで、メディアプレーヤー部は、投写型画像表示装置から入力されたマルチメディアデータを記憶することを可能とする。これにより、メディアプレーヤー部は、投写型画像表示装置を介して、マルチメディアデータをダウンロードすることが可能になるため、有益である。
【００２０】
［適用例８］上記適用例に係る投写型画像表示装置において、前記メディアプレーヤー部は前記投射型画像表示装置から着脱可能とし、前記投写型画像表示装置には、前記メディアプレーヤー部を一体的に装着できる装着部を有していることを特徴とする。
【００２１】
このような投写型画像表示装置によれば、メディアプレーヤー部は、投写型画像表示装置に着脱可能とする。また、投写型画像表示装置は装着部を有し、メディアプレーヤー部を一体的に装着することができる。これにより、メディアプレーヤー部を取り外して携帯することが可能となるため、利便性が向上する。また、メディアプレーヤー部は投写型画像表示装置に一体的に装着され、ケーブル等の配線を不要とした態様で接続されて画像を投写することが可能になるため、利便性が高い。また、ケーブル等の配線が無いため、投写型画像表示装置の設置の自由度が向上する。
【００２２】
［適用例９］上記適用例に係る投写型画像表示装置において、入力操作を受け付ける入力操作部と、前記メディアプレーヤー部が前記装着部に装着された場合に、前記入力操作部の入力操作を無効にする入力操作無効化部と、をさらに有することを特徴とする。
【００２３】
このような投写型画像表示装置によれば、入力操作を受け付ける入力操作部を有する。そして、メディアプレーヤー部が装着部に装着された場合には、入力操作無効化部は、入力操作部の入力操作を無効とする。即ち、投写型画像表示装置は、メディアプレーヤー部の操作部からの制御情報のみによって、操作制御される。これにより、ユーザーは、投写型画像表示装置が有する入力操作部の操作方法を把握する必要がなくなる。よって、入力操作部の操作方法を把握していないユーザーが、入力操作部を操作してしまっても、投写型画像表示装置は意図しない動作をすることがないため、ユーザーが当惑してしまう事態を回避することが可能となる。
【００２４】
［適用例１０］上記適用例に係る投写型画像表示装置において、前記メディアプレーヤー部が前記装着部に装着されると、前記メディアプレーヤー部から入力された前記画像情報に基づいた前記画像の投写を開始する投写開始部を、さらに有することを特徴とする。
【００２５】
このような投写型画像表示装置によれば、メディアプレーヤー部が装着部に装着されると、投写開始部は、メディアプレーヤー部から入力された画像情報に基づいた画像の投写を開始させる。これにより、ユーザーは、画像投写の開始のために、投写型画像表示装置の電源オンや、入力切替等の入力操作を行う必要が無くなるため、利便性が向上する。
【００２６】
［適用例１１］上記適用例に係る投写型画像表示装置において、前記メディアプレーヤー部は、当該メディアプレーヤー部の前記表示部で表示に用いられる言語の情報としての言語情報を前記制御情報として出力し、前記制御情報入力部は、前記言語情報を入力し、前記制御部は、前記制御情報入力部が入力した前記言語情報に基づいて、前記投写型画像表示装置が表示に用いる言語の設定を変更することを特徴とする。
【００２７】
このような投写型画像表示装置によれば、制御情報入力部は、メディアプレーヤー部から言語情報を入力する。ここで、言語情報とは、メディアプレーヤーの表示部で表示に用いられている言語の情報とする。そして、制御部は、言語情報に基づいて、投写型画像表示装置の言語の設定を変更する。これにより、ユーザーが言語設定の変更のための入力操作を行わなくても、投写型画像表示装置の言語の設定をメディアプレーヤー部と同様にすることが可能となるため、有益である。
【図面の簡単な説明】
【００２８】
【図１】第１の実施形態に係るプロジェクターを示す斜視図であり、（ａ）は、プロジェクターを投写レンズ側から見た斜視図、（ｂ）は、プロジェクターをコネクター側から見た斜視図。
【図２】プロジェクターの概略構成を示すブロック図。
【図３】プロジェクターが、メディアプレーヤー部から投写開始情報を受信したときの投写開始処理のフローチャート。
【図４】プロジェクターが外部ネットワークからマルチメディアデータをダウンロードする処理のフローチャート。
【図５】第２の実施形態に係るプロジェクター、およびメディアプレーヤーを示す斜視図であり、（ａ）は、プロジェクターとメディアプレーヤーとが分離された状態を示す図、（ｂ）は、プロジェクターにメディアプレーヤーが装着された状態を示す図。
【図６】メディアプレーヤーをコネクター側から見た斜視図。
【図７】プロジェクターの概略構成を示すブロック図。
【図８】プロジェクターが電源オフの状態で、メディアプレーヤーが装着されたときの投写開始処理のフローチャート。
【図９】プロジェクターが電源オンの状態で、メディアプレーヤーが装着されたときの投写開始処理のフローチャート。
【発明を実施するための形態】
【００２９】
以下、実施形態について説明する。
【００３０】
（第１の実施形態）
第１の実施形態では、メディアプレーヤー部が一体として形成された投写型画像表示装置の実施形態として、画像情報に基づく画像を投写して、外部のスクリーン等に表示するプロジェクターについて説明する。
図１は、第１の実施形態に係るプロジェクターを示す斜視図であり、同図（ａ）は、プロジェクターを投写レンズ側から見た斜視図であり、同図（ｂ）は、プロジェクターをコネクター側から見た斜視図である。
【００３１】
図１（ａ）に示すように、メディアプレーヤー部が一体として形成されたプロジェクター１は、装置本体が筐体１０００に収納された構成を有している。筐体１０００の上面１０００ｔには、プロジェクター１のメディアプレーヤー部に対して入力操作を行うための操作部としての操作パネル１１０が備えられている。さらに、上面１０００ｔには、プロジェクター１のメディアプレーヤー部が出力する画像情報に基づく画像等を表示するための表示部１２０が備えられている。表示部１２０は、例えば、液晶表示パネル等で構成されている。
【００３２】
筐体１０００の前面１０００ｆには、投写面に画像を投写する投写レンズ１３０が露出している。また、前面１０００ｆには、ヘッドホン等を接続して音声を出力するための、ステレオミニジャック４４が備えられている。
【００３３】
図１（ｂ）に示すように、プロジェクター１の背面１０００ｂには、コネクター１５０が備えられている。コネクター１５０は、専用アダプターや専用ドッキングステーションに接続可能とし、パーソナルコンピューター（図示せず）等から画像情報や音声情報を入出力したり、各種の情報を入出力したり、電力を入力したりする。
【００３４】
図２は、本実施形態に係るプロジェクター１の概略構成を示すブロック図である。図２を使用して、プロジェクター１の内部構成について説明する。
【００３５】
プロジェクター１は、メディアプレーヤー部１００、画像投写部１０、制御部２０、制御情報入力部２３、光源制御部２４、通信制御部２５、ＵＳＢ制御部２６、電源回路２８、画像情報入力部としての画像入力選択部３１、画像処理部３２、音声情報入力部としての音声入力選択部４１、音声処理部４２、音声出力部４３、ステレオミニジャック４４、ネットワーク通信部６０、マルチメディアデータ処理部６１、情報出力部としてのＵＳＢ通信部６２、コネクター１５０等を備えている。
【００３６】
メディアプレーヤー部１００は、画像情報や音声情報を内蔵する記憶媒体（図示せず）に記憶可能とし、操作パネル１１０に入力操作が行われることにより、画像情報や音声情報を選択して再生することができるメディアプレーヤー装置である。記憶媒体としては、例えば、ハードディスクドライブやフラッシュメモリー等とすることができる。
【００３７】
操作パネル１１０は、メディアプレーヤー部１００に対して各種指示を行うための複数のキー等を備えている。操作パネル１１０が備えるキーとしては、画像情報や音声情報の再生を開始／停止するための「再生キー」や、画像情報や音声情報を切り替えるための「情報切替キー」、各種設定を行うためのメニュー画面の表示／非表示を切り替える「メニューキー」等がある。ユーザーが操作パネル１１０を操作すると、メディアプレーヤー部１００は、ユーザーの入力操作に応じた動作を行い、入力操作に基づいた制御情報を制御情報入力部２３に出力する。
【００３８】
表示部１２０は、メディアプレーヤー部１００が出力する画像情報に基づく画像を表示する。また、表示選択部１７０は、メディアプレーヤー部１００の表示部１２０に画像を表示させるか否かを選択させる手段である。ユーザーは、操作パネル１１０に所定の入力操作を行うことによって、表示部１２０に画像を表示させるか否かを選択することができる。表示部１２０は、ユーザーが表示選択部１７０によって選択した設定に基づいて、画像の表示／非表示を行う。
【００３９】
時計機能部１８０は、メディアプレーヤー部１００が有する時計機能である。ユーザーが操作パネル１１０に入力操作を行うことによって、メディアプレーヤー部１００は、所望の時刻（所定の時刻）に制御情報として投写開始情報を制御情報入力部２３に出力することができる。
【００４０】
画像投写部１０は、ＬＥＤ（Light Emitting Diode）等の固体光源からなる光源１１と、光変調装置としての液晶ライトバルブ１２と、投写光学系としての投写レンズ１３０と、液晶ライトバルブ１２を駆動するライトバルブ駆動部１４とを備えている。
【００４１】
液晶ライトバルブ１２は、一対の透明基板間に液晶が封入された透過型液晶パネル等によって構成される。ライトバルブ駆動部１４の駆動によって、液晶ライトバルブ１２の各画素に画像情報に応じた駆動電圧が印加されると、各画素は、画像情報に応じた光透過率で光源光を透過させる。
【００４２】
光源１１から射出された光は、この液晶ライトバルブ１２を透過することによって変調され、変調後の光が投写レンズ１３０によって投写されることにより、スクリーンＳＣ等に画像情報に応じた画像が表示される。
【００４３】
制御部２０は、ＣＰＵ（Central Processing Unit）、各種データの一時記憶等に用いられるＲＡＭ（Random Access Memory）、及び、マスクＲＯＭ（Read Only Memory）やフラッシュメモリー、ＦｅＲＡＭ（Ferroelectric RAM：強誘電体メモリー）等の不揮発性のメモリー等（いずれも図示せず）を備え、コンピューターとして機能するものである。制御部２０は、ＣＰＵが不揮発性のメモリーに記憶されている制御プログラムに従って動作することにより、プロジェクター１の動作を統括制御する。
【００４４】
制御情報入力部２３は、メディアプレーヤー部１００に接続されており、メディアプレーヤー部１００から制御情報を入力する。そして、制御情報入力部２３は、制御情報を制御部２０に出力する。制御情報入力部２３に入力される制御情報としては、操作パネル１１０が受け付けた入力操作情報、メディアプレーヤー部１００が有する時計機能に基づいて投写の開始を要求する投写開始情報、外部ネットワーク（図示せず）からのマルチメディアデータのダウンロードを要求するダウンロード要求情報等がある。
【００４５】
光源制御部２４は、制御部２０の指示に基づいて、光源１１に対する電力の供給と停止とを制御し、光源１１を点灯／消灯させたり、光源１１の明るさを変化させたりする。
【００４６】
通信制御部２５は、制御部２０の指示に基づいて、ネットワーク通信部６０に指示を出して、外部ネットワークとのＩＰネットワーク通信を制御する。
【００４７】
ＵＳＢ制御部２６は、制御部２０の指示に基づいて、ＵＳＢ通信部６２に指示を出して、メディアプレーヤー部１００とのＵＳＢ通信を制御する。
【００４８】
電源回路２８は、プロジェクター１に内蔵される内蔵電源２９、またはコネクター１５０を介して外部から電力が供給される。電源回路２８は、供給される電力を所定の電圧に変換して、プロジェクター１の各部に供給する。また、電源回路２８は、制御部２０の指示に基づいて、画像の投写や音声の出力等に必要なメイン電力と、電源オフの状態（メイン電力の供給を停止して、電源をオンにするための操作を待機する状態）に必要なスタンバイ電力とを切り替えて供給することができる。さらに、電源回路２８は、メディアプレーヤー部１００に対して電力を供給する。
【００４９】
画像入力選択部３１は、コネクター１５０に備わる画像入力端子１５０ｃ、およびメディアプレーヤー部１００から出力される画像情報のうち、制御部２０の指示に基づく１つの画像情報を選択し、その画像情報を画像処理部３２に出力する。
【００５０】
画像処理部３２は、画像入力選択部３１から入力される画像情報を、液晶ライトバルブ１２の各画素の階調を表す画像データ、即ち各画素に印加する駆動電圧を規定するための画像データに変換する。そして、制御部２０の指示に基づいて、変換した画像データに対して、明るさ、コントラスト、シャープネス、色合い等の調整や、ガンマ補正等の各種画質調整等を行う。さらに、画像処理部３２では、必要に応じてＯＳＤ（オンスクリーンディスプレイ）画像を画像データに重畳する処理を行う。画像処理部３２は、このような調整および処理を行った画像データをライトバルブ駆動部１４に出力する。
【００５１】
ライトバルブ駆動部１４が、画像処理部３２から入力される画像データに従って液晶ライトバルブ１２を駆動すると、液晶ライトバルブ１２は、画像データに応じた画像を形成し、この画像が投写レンズ１３０から投写される。
【００５２】
音声入力選択部４１は、コネクター１５０に備わる音声入力端子１５０ａ、およびメディアプレーヤー部１００から出力される音声情報のうち、制御部２０の指示に基づく１つの音声情報を選択し、その音声情報を音声処理部４２に出力する。
【００５３】
音声処理部４２は、制御部２０の指示に基づいて、音声入力選択部４１から入力される音声情報に、その出力特性を調整するための処理を施す。音声処理部４２で調整処理がなされた音声情報は、音声出力部４３に出力される。
【００５４】
音声出力部４３は、図示しない増幅回路等を備えており、音声処理部４２から入力した音声情報に基づく音声をステレオミニジャック４４から出力する。
【００５５】
ネットワーク通信部６０は、ＩＰネットワーク通信を用いた通信手段であり、ネットワーク端子１５０ｅを介して外部ネットワークと接続される。ネットワーク通信部６０は、通信制御部２５からの指示に基づいて、外部ネットワークとの通信を行い、図示しないサーバー等から画像情報や音声情報を含むマルチメディアデータを受信して、マルチメディアデータ処理部６１に出力する。ここで、ネットワーク通信部６０は、例えば、ＴＣＰ／ＩＰ（Transmission Control Protocol/Internet Protocol）といったプロトコルを用いて外部ネットワークと接続して通信を行うものとする。
【００５６】
マルチメディアデータ処理部６１は、制御部２０の指示に基づいて、ネットワーク通信部６０が受信したマルチメディアデータを入力してファイルとして蓄積し、ＵＳＢ通信が可能な形式になるように処理を行い、ＵＳＢ通信部６２に出力する。
【００５７】
ＵＳＢ通信部６２は、ＵＳＢ規格に準拠した通信手段であり、メディアプレーヤー部１００のＵＳＢ受信部（図示せず）に接続されている。ＵＳＢ通信部６２は、ＵＳＢ制御部２６の指示に基づいて、マルチメディアデータ処理部６１から入力されたマルチメディアデータを、メディアプレーヤー部１００に送信する。
【００５８】
コネクター１５０は、プロジェクター１が外部と通信するための複数の入出力端子を備えている。コネクター１５０が備える入出力端子としては、音声情報を入力するための音声入力端子１５０ａ、音声情報を出力するための音声出力端子１５０ｂ、画像情報を入力するための画像入力端子１５０ｃ、画像情報を出力するための画像出力端子１５０ｄ、ネットワーク通信を行うためのネットワーク端子１５０ｅ、各種情報を入出力するためのシリアルインターフェイス端子１５０ｆやＵＳＢ端子１５０ｇ、電力を入力するための電源端子１５０ｈ等がある。
【００５９】
プロジェクター１が専用アダプターや専用ドッキングステーションに接続されると、コネクター１５０が専用アダプターや専用ドッキングステーションと嵌合し、外部のパーソナルコンピューター等と音声情報や画像情報、および各種情報が入出力可能となる。また、プロジェクター１への電力の供給が可能となる。
【００６０】
ユーザーが、メディアプレーヤー部１００に備わる操作パネル１１０に対して画像情報や音声情報を再生するように操作すると、プロジェクター１は、画像情報や音声情報を、画像投写したり、音声出力したりすることができる。
【００６１】
次に、本実施形態のプロジェクター１の動作について説明する。
プロジェクター１は、内蔵電源２９、またはコネクター１５０を介して外部から電力が供給される。メディアプレーヤー部１００および制御部２０は、この電力供給を受けて、制御プログラムに従った動作を行う。電源オン操作が行われていない際には、プロジェクター１は、スタンバイ状態であり、制御部２０は、操作パネル１１０に入力される電源オン操作を監視する。そして、電源オン操作を検知すると、制御部２０は、電源回路２８に指示をして画像の投写等に必要なメイン電力の供給を開始させ、プロジェクター１をオン状態とするとともに、光源１１を点灯させる等の必要な初期動作を行う。この結果、メディアプレーヤー部１００や画像入力端子１５０ｃからプロジェクター１に入力された画像情報に基づいた画像が、画像投写部１０から投写される。
【００６２】
プロジェクター１は、メディアプレーヤー部１００からの制御情報の入力を可能とする。例えば、ユーザーが操作パネル１１０に入力操作を行い、制御情報入力部２３が、制御情報として投写輝度を制御するための輝度情報を入力すると、制御部２０は、光源制御部２４に当該輝度情報に基づいた光源１１の明るさになるように指示をする。また、制御情報入力部２３が、制御情報として音量を制御するための音量情報を入力すると、制御部２０は、音声出力部４３に当該音量情報に基づいた音量になるように指示をする。
【００６３】
次に、メディアプレーヤー部１００が有する時計機能により、所定の時刻になったときに、プロジェクター１を投写開始させる処理について説明する。
【００６４】
メディアプレーヤー部１００は、ユーザーが設定した所定の時刻になると、制御情報入力部２３に対して制御情報として投写開始情報を出力する。
図３は、プロジェクター１が、メディアプレーヤー部１００から投写開始情報を受信したときの投写開始処理のフローチャートである。
【００６５】
制御部２０は、制御情報入力部２３が投写開始情報を受信したか否かを検知する（ステップＳ１０１）。受信されていなければ（ステップＳ１０１：ＮＯ）、受信を待ち続ける。投写開始情報が受信されると（ステップＳ１０１：ＹＥＳ）、制御部２０は、初期処理を行う（ステップＳ１０２）。本実施形態では、初期処理は、ＣＰＵの初期化やＲＡＭ等のメモリーの初期化を行う。また、その他のソフトウェアやハードウェアの初期化等も行われる。次に、制御部２０は、光源制御部２４に指示を出して、光源１１を点灯させる（ステップＳ１０３）。
【００６６】
制御部２０は、画像入力選択部３１に指示を出して、メディアプレーヤー部１００から出力される画像情報を選択させ、その画像情報を画像処理部３２に出力させる（ステップＳ１０４）。そして、制御部２０は、画像処理部３２に指示を出して、画像の投写を開始させる（ステップＳ１０５）。
【００６７】
制御部２０は、音声入力選択部４１に指示を出して、メディアプレーヤー部１００から出力される音声情報を選択させ、その音声情報を音声処理部４２に出力させる（ステップＳ１０６）。そして、制御部２０は、音声処理部４２および音声出力部４３に指示を出して、音声の出力を開始させる（ステップＳ１０７）。そして、投写開始情報を受信したときの投写開始処理を終了する。
【００６８】
上述したように、メディアプレーヤー部１００から投写開始情報を受信すると、プロジェクター１は、電源オンして、光源１１の点灯や、投写を開始する。そして、プロジェクター１は、画像情報および音声情報をメディアプレーヤー部１００の画像情報および音声情報に切り替える。
【００６９】
次に、プロジェクター１が、コネクター１５０を介して外部ネットワークからマルチメディアデータをダウンロードして、メディアプレーヤー部１００に送信する処理について説明する。
【００７０】
ユーザーが、操作パネル１１０に対して、外部ネットワークからマルチメディアデータをダウンロードするように入力操作を行うと、メディアプレーヤー部１００が制御情報入力部２３に、ダウンロード要求情報を送信する。制御部２０は、そのダウンロード要求情報に基づいて、通信制御部２５に外部ネットワークからマルチメディアデータを受信するように指示を行う。通信制御部２５は、ネットワーク通信部６０に指示を行って、外部ネットワークとの通信を開始させる。
図４は、プロジェクター１が外部ネットワークからマルチメディアデータをダウンロードする処理のフローチャートである。
【００７１】
通信制御部２５は、ネットワーク通信部６０に指示を行い、外部ネットワークに接続させる（ステップＳ２０１）。さらに、通信制御部２５は、ネットワーク通信部６０に指示を行い、外部ネットワーク上の図示しないサーバーからマルチメディアデータを受信させ、マルチメディアデータ処理部６１に出力させる（ステップＳ２０２）。
【００７２】
制御部２０の指示により、マルチメディアデータ処理部６１は、マルチメディアデータをファイルとして蓄積する（ステップＳ２０３）。そして、制御部２０の指示により、マルチメディアデータ処理部６１は、ＵＳＢ通信部６２にマルチメディアデータのファイルを出力する。そして、ＵＳＢ制御部２６の指示により、ＵＳＢ通信部６２は、ＵＳＢ通信によって、マルチメディアデータのファイルをメディアプレーヤー部１００に送信する（ステップＳ２０４）。
【００７３】
メディアプレーヤー部１００は、上述したマルチメディアデータのファイルをＵＳＢ受信し、内蔵する記憶媒体（図示せず）に記憶する。つまり、メディアプレーヤー部１００は、外部ネットワークからコネクター１５０を介してマルチメディアデータをダウンロードして、保存することができる。
【００７４】
上述した実施形態によれば、以下の効果が得られる。
（１）プロジェクター１は、メディアプレーヤー部１００と一体に形成されている。そして、プロジェクター１は、メディアプレーヤー部１００が出力する画像情報に基づいた画像を投写する。これにより、メディアプレーヤー部１００が記憶する画像情報に基づいた画像を複数の人で共有して鑑賞することが可能となる。また、ケーブル等の配線を不要とし、プロジェクター１とメディアプレーヤー部１００とが一体に形成された態様で画像を投写することが可能になるため、利便性が向上する。また、携帯性が向上し、プロジェクター１の設置の自由度が向上する。
【００７５】
（２）プロジェクター１は、メディアプレーヤー部１００と一体に形成されている。そして、プロジェクター１は、メディアプレーヤー部１００が出力する音声情報に基づいた音声を出力する。これにより、ケーブル等の配線を不要とし、プロジェクター１とメディアプレーヤー部１００とが一体に形成された態様で音声を出力することが可能になるため、利便性が向上する。また、携帯性が向上し、プロジェクター１の設置の自由度が向上する。
【００７６】
（３）プロジェクター１と一体に形成されるメディアプレーヤー部１００は、画像情報を表示部１２０に表示させるか否かを選択させる表示選択部１７０を有する。これにより、ユーザーが操作パネル１１０によって、表示部１２０に画像を表示させるか否かを選択することが可能となるため、例えば、スクリーンＳＣに投写された画像が不明瞭な場合においても、表示部１２０によって画像を視認することが可能となるため、利便性が高い。
【００７７】
（４）プロジェクター１は、制御情報入力部２３を介してメディアプレーヤー部１００から制御情報を入力する。そして、制御部２０は、制御情報に基づいてプロジェクター１を制御する。これにより、ユーザーは、操作パネル１１０に対して入力操作することで、プロジェクター１を操作制御することが可能になるため、利便性が向上する。つまり、メディアプレーヤー部１００の操作性を損なうことがなく、プロジェクター１を容易に操作制御することが可能となる。
【００７８】
（５）プロジェクター１は、メディアプレーヤー部１００から、投写輝度を制御するための輝度情報や、音量を制御するための音量情報を、制御情報として入力することができる。これにより、ユーザーは、操作パネル１１０に対して入力操作を行うことで、プロジェクター１の投写輝度や音量を制御することが可能になるため、有益である。
【００７９】
（６）メディアプレーヤー部１００は、時計機能を有しており、ユーザーが設定した所定の時刻に投写開始情報をプロジェクター１に出力する。そして、プロジェクター１は、投写開始情報に応じて画像の投写や音声の出力を開始する。これにより、プロジェクター１は、ユーザーの所望の時刻に画像の投写や音声の出力を開始することが可能となるため、有益である。このような態様により、例えば、ユーザーは、起床時刻にプロジェクター１に画像の投写や音声の出力を行わせて、目覚まし装置として使用することが可能になる。
【００８０】
（７）プロジェクター１は、メディアプレーヤー部１００からマルチメディアデータのダウンロード要求情報を受信すると、外部ネットワークから画像情報や音声情報を含むマルチメディアデータを受信し、メディアプレーヤー部１００に送信する。そして、メディアプレーヤー部１００は、受信したマルチメディアデータのファイルを記憶する。これにより、ユーザーが、操作パネル１１０に対して、マルチメディアデータをダウンロードするように操作を行うことで、メディアプレーヤー部１００は、外部ネットワークからコネクター１５０のネットワーク端子１５０ｅを介して、マルチメディアデータをダウンロードすることが可能になるため、有益である。
【００８１】
（８）プロジェクター１は、専用アダプターや専用ドッキングステーションに接続されると、外部電源からコネクター１５０の電源端子１５０ｈを介して電力が供給される。これにより、メディアプレーヤー部１００およびプロジェクター１は、電力の供給を受けて動作することが可能になる。よって、内蔵電源２９の消耗を抑制したり、内蔵電源２９が二次電池であれば、充電したりすることができるため、有益である。
【００８２】
（第２の実施形態）
第２の実施形態では、着脱可能なメディアプレーヤー部を有する投写型画像表示装置の実施形態として、画像情報に基づく画像を投写して、外部のスクリーン等に表示するプロジェクター、およびメディアプレーヤー部としてのメディアプレーヤーについて説明する。
【００８３】
図５は、第２の実施形態に係るプロジェクター、およびメディアプレーヤーを示す斜視図であり、同図（ａ）は、プロジェクターとメディアプレーヤーとが分離された状態を示す図であり、同図（ｂ）は、プロジェクターにメディアプレーヤーが装着された状態を示す図である。
【００８４】
図５（ａ）に示すように、プロジェクター２は、装置本体が筐体２０００に収納された構成を有している。筐体２０００の前面２０００ｆには、投写面に画像を投写する投写レンズ１３が露出している。筐体２０００の上面２０００ｔには、プロジェクター２に対して入力操作を行うための入力操作部としてのプロジェクター側操作パネル２１、音声を出力するためのスピーカー４５が備えられている。さらに、筐体２０００には、メディアプレーヤー３００を装着するための装着部７０が備えられている。
【００８５】
本実施形態では、図５（ａ）および（ｂ）に示すように、装着部７０は、プロジェクター２にメディアプレーヤー３００を一体的に嵌め込み装着することができるように、メディアプレーヤー３００の筐体と略同形状（直方体状）の凹部として、筐体２０００に形成されている。
【００８６】
筐体２０００に備えられた装着部７０には、メディアプレーヤー３００から画像情報や音声情報を入力したり、各種の情報を入出力したり、メディアプレーヤー３００に電力を出力したりするためのプロジェクター側コネクター５０が備えられている。本実施形態では、装着部７０にメディアプレーヤー３００を装着すると、プロジェクター側コネクター５０は、メディアプレーヤー３００側のコネクターと嵌合される。
【００８７】
図６は、本実施形態に係るメディアプレーヤー３００をコネクター側から見た斜視図である。図６に示すように、メディアプレーヤー３００の背面３００ｂには、上述したメディアプレーヤー３００側のコネクターとしてのメディアプレーヤー側コネクター３４０が備えられている。メディアプレーヤー側コネクター３４０は、メディアプレーヤー３００から画像情報、音声情報および制御情報を出力したり、各種の情報を入出力したり、プロジェクター２から電力を入力したりする。
【００８８】
メディアプレーヤー３００の上面３００ｔには、メディアプレーヤー３００に対して入力操作を行うためのメディアプレーヤー側操作パネル３１０が備えられている。さらに、上面３００ｔには、メディアプレーヤー３００の画像情報に基づく画像等を表示するためのメディアプレーヤー表示部３２０が備えられている。メディアプレーヤー表示部３２０は、例えば、液晶表示パネル等で構成されている。また、図５（ａ）に示すように、メディアプレーヤー３００の背面３００ｂと対峙する面には、ヘッドホン等を接続して音声を出力するための、ステレオミニジャック３３０が備えられている。
【００８９】
上述したように、プロジェクター２は、メディアプレーヤー３００を一体的に嵌め込み装着可能になっており、メディアプレーヤー３００からの画像情報、音声情報および制御情報を入力したり、各種の情報を入出力したり、メディアプレーヤー３００に電力を出力したりすることができる。
【００９０】
図７は、本実施形態に係るプロジェクター２の概略構成を示すブロック図である。図７を使用して、プロジェクター２の内部構成について説明する。なお、第１の実施形態に係るプロジェクター１と同様の機能構成部には同様の符号を付記している。
【００９１】
プロジェクター２は、画像投写部１０ｐ、制御部２０ｐ、入力操作部としてのプロジェクター側操作パネル２１、装着検知部２２、制御情報入力部２３ｐ、光源制御部２４、通信制御部２５、ＵＳＢ制御部２６、言語設定部２７、電源回路２８ｐ、画像入力端子群３０、画像入力選択部３１ｐ、画像処理部３２、音声入力端子群４０、音声入力選択部４１ｐ、音声処理部４２、音声出力部４３ｐ、スピーカー４５、プロジェクター側コネクター５０、ネットワーク通信部６０ｐ、マルチメディアデータ処理部６１、ＵＳＢ通信部６２ｐ等を備えている。さらに、図７では、プロジェクター２にメディアプレーヤー３００が装着されている。また、図７では、プロジェクター２の外部にネットワーク５００を図示している。
【００９２】
画像投写部１０ｐは、超高圧水銀ランプやメタルハライドランプ等の放電型光源やＬＥＤ等の固体光源からなる光源１１ｐと、光変調装置としての液晶ライトバルブ１２と、投写光学系としての投写レンズ１３と、液晶ライトバルブ１２を駆動するライトバルブ駆動部１４とを備えている。
【００９３】
液晶ライトバルブ１２は、一対の透明基板間に液晶が封入された透過型液晶パネル等によって構成される。ライトバルブ駆動部１４の駆動によって、液晶ライトバルブ１２の各画素に画像情報に応じた駆動電圧が印加されると、各画素は、画像情報に応じた光透過率で光源光を透過させる。
【００９４】
光源１１ｐから射出された光は、この液晶ライトバルブ１２を透過することによって変調され、変調後の光が投写レンズ１３によって投写されることにより、スクリーンＳＣ等に画像情報に応じた画像が表示される。
【００９５】
制御部２０ｐは、ＣＰＵ、各種データの一時記憶等に用いられるＲＡＭ、及び、マスクＲＯＭやフラッシュメモリー、ＦｅＲＡＭ等の不揮発性のメモリー等（いずれも図示せず）を備え、コンピューターとして機能するものである。制御部２０ｐは、ＣＰＵが不揮発性のメモリーに記憶されている制御プログラムに従って動作することにより、プロジェクター２の動作を統括制御する。
【００９６】
プロジェクター側操作パネル２１は、プロジェクター２に対して各種指示を行うための複数のキー等を備えている。プロジェクター側操作パネル２１が備えるキーとしては、電源のオン／オフを行うための「電源キー」や、入力端子を切り替えるための「入力切替キー」、各種設定を行うためのメニュー画面の表示／非表示を切り替える「メニューキー」等がある。ユーザーがプロジェクター側操作パネル２１を操作すると、プロジェクター側操作パネル２１は、ユーザーの入力操作に応じた操作情報を制御部２０ｐに出力する。なお、プロジェクター側操作パネル２１は、リモコン信号受信部（図示せず）と遠隔操作が可能なリモートコントローラー（図示せず）を有した構成としてもよい。この場合、リモートコントローラーは、ユーザーの入力操作に応じた赤外線等の操作情報を発し、リモコン信号受信部がこれを受信して制御部２０ｐに伝達する。
【００９７】
装着検知部２２は、プロジェクター側コネクター５０に備わる装着情報入力端子５０ｃに接続されており、装着部７０にメディアプレーヤー３００が装着されたか否かを検知する。そして、検知結果を制御部２０ｐに出力する。
【００９８】
制御情報入力部２３ｐは、プロジェクター側コネクター５０に備わる制御情報入力端子５０ｄに接続されており、メディアプレーヤー３００からシリアルインターフェイス等により伝送される各種の制御情報を入力する。そして、制御情報入力部２３ｐは、制御情報を制御部２０ｐに出力する。制御情報入力部２３ｐに入力される制御情報としては、メディアプレーヤー側操作パネル３１０が受け付けた入力操作に基づくメディア入力操作情報、メディアプレーヤー３００が有する時計機能に基づいて投写の開始を要求する投写開始情報、メディアプレーヤー３００が表示に用いるために有する言語の情報としての言語情報、ネットワーク５００からマルチメディアデータのダウンロードを要求するダウンロード要求情報等がある。
【００９９】
光源制御部２４は、制御部２０ｐの指示に基づいて、光源１１ｐに対する電力の供給と停止とを制御し、光源１１ｐを点灯／消灯させたり、光源１１ｐの明るさを変化させたりする。
【０１００】
通信制御部２５は、制御部２０ｐの指示に基づいて、ネットワーク通信部６０ｐに指示を出して、ネットワーク５００とのＩＰネットワーク通信を制御する。
【０１０１】
ＵＳＢ制御部２６は、制御部２０ｐの指示に基づいて、ＵＳＢ通信部６２ｐに指示を出して、メディアプレーヤー３００とのＵＳＢ通信を制御する。
【０１０２】
言語設定部２７は、不揮発性のメモリーにより構成され、メニューやメッセージ等の投写表示に用いられる言語の設定値を記憶する。言語設定部２７に記憶された言語設定値は、制御部２０ｐによって書き込みおよび読み出しが行われる。
【０１０３】
電源回路２８ｐには、外部からＡＣ１００Ｖ等の商用電源が供給される。電源回路２８ｐは、商用電源（交流電源）を所定の電圧の直流電源に変換して、プロジェクター２の各部に電力を供給する。また、電源回路２８ｐは、制御部２０ｐの指示に基づいて、画像の投写や音声の出力等に必要なメイン電力と、電源オフの状態（メイン電力の供給を停止して、電源をオンにするための操作を待機する状態）に必要なスタンバイ電力とを切り替えて供給することができる。さらに、電源回路２８ｐは、プロジェクター側コネクター５０に備わる電源端子５０ｆに接続されており、メディアプレーヤー３００に対して電力を供給する。
【０１０４】
画像入力端子群３０は、ビデオ再生装置やパーソナルコンピューター等、図示しない外部の画像供給装置から、各種形式の画像情報を入力可能な複数の画像入力端子３０ａを備えている。各画像入力端子３０ａに入力された画像情報は、画像入力選択部３１ｐに供給される。
【０１０５】
画像入力選択部３１ｐは、複数の画像入力端子３０ａ、およびプロジェクター側コネクター５０に備わる画像入力端子５０ｂのうち、制御部２０ｐの指示に基づく１つの画像入力端子を選択し、その画像入力端子に入力される画像情報を画像処理部３２に出力する。
【０１０６】
画像処理部３２は、画像入力選択部３１ｐから入力される画像情報を、液晶ライトバルブ１２の各画素の階調を表す画像データ、即ち各画素に印加する駆動電圧を規定するための画像データに変換する。そして、制御部２０ｐの指示に基づいて、変換した画像データに対して、明るさ、コントラスト、シャープネス、色合い等の調整や、ガンマ補正等の各種画質調整等を行う。さらに、画像処理部３２では、必要に応じてＯＳＤ（オンスクリーンディスプレイ）画像を画像データに重畳する処理を行う。画像処理部３２は、このような調整および処理を行った画像データをライトバルブ駆動部１４に出力する。
【０１０７】
ライトバルブ駆動部１４が、画像処理部３２から入力される画像データに従って液晶ライトバルブ１２を駆動すると、液晶ライトバルブ１２は、画像データに応じた画像を形成し、この画像が投写レンズ１３から投写される。
【０１０８】
音声入力端子群４０は、ビデオ再生装置やパーソナルコンピューター等、図示しない外部の音声供給装置から、音声情報を入力可能な複数の音声入力端子４０ａを備えている。各音声入力端子４０ａに入力された音声情報は、音声入力選択部４１ｐに供給される。
【０１０９】
音声入力選択部４１ｐは、複数の音声入力端子４０ａ、およびプロジェクター側コネクター５０に備わる音声入力端子５０ａのうち、制御部２０ｐの指示に基づく１つの音声入力端子を選択し、その音声入力端子に入力される音声情報を音声処理部４２に出力する。
【０１１０】
音声処理部４２は、制御部２０ｐの指示に基づいて、音声入力選択部４１ｐから入力される音声情報に、その出力特性を調整するための処理を施す。音声処理部４２で調整処理がなされた音声情報は、音声出力部４３ｐに出力される。
【０１１１】
音声出力部４３ｐは、図示しない増幅回路等を備えており、音声処理部４２から入力した音声情報に基づく音声をスピーカー４５から出力する。
【０１１２】
プロジェクター側コネクター５０は、メディアプレーヤー３００と通信するための複数の入出力端子を備えている。プロジェクター側コネクター５０が備える入出力端子としては、音声情報を入力するための音声入力端子５０ａ、画像情報を入力するための画像入力端子５０ｂ、メディアプレーヤー３００が装着されたか否の情報を入力するための装着情報入力端子５０ｃ、メディアプレーヤー３００側からの制御情報を入力するための制御情報入力端子５０ｄ、ＵＳＢ通信部６２ｐからマルチメディアデータを出力するためのＵＳＢ端子５０ｅ、電源回路２８ｐから電力を出力するための電源端子５０ｆ等がある。
【０１１３】
メディアプレーヤー３００がプロジェクター２の装着部７０に装着されると、メディアプレーヤー側コネクター３４０とプロジェクター側コネクター５０とが嵌合し、上述した各種入出力端子を介して、画像情報、音声情報、制御情報、および各種の情報が入出力可能となる。また、プロジェクター２からメディアプレーヤー３００への電力の出力が可能となる。
【０１１４】
ネットワーク通信部６０ｐは、ＩＰネットワーク通信を用いた通信手段であり、ネットワークケーブルＮＣを介してネットワーク５００と接続されている。ネットワーク通信部６０ｐは、通信制御部２５からの指示に基づいて、ネットワーク５００との通信を行い、図示しないサーバー等から画像情報や音声情報を含むマルチメディアデータを受信して、マルチメディアデータ処理部６１に出力する。ここで、ネットワーク通信部６０ｐは、例えば、ＴＣＰ／ＩＰといったプロトコルを用いてネットワーク５００と接続して通信を行うものとする。
【０１１５】
マルチメディアデータ処理部６１は、制御部２０ｐの指示に基づいて、ネットワーク通信部６０ｐが受信したマルチメディアデータを入力してファイルとして蓄積し、ＵＳＢ通信が可能な形式になるように処理を行い、ＵＳＢ通信部６２ｐに出力する。
【０１１６】
ＵＳＢ通信部６２ｐは、ＵＳＢ規格に準拠した通信手段であり、ＵＳＢ端子５０ｅに接続されている。ＵＳＢ端子５０ｅは、メディアプレーヤー側コネクター３４０を介してメディアプレーヤー３００内部のＵＳＢ受信部（図示せず）に接続されている。ＵＳＢ通信部６２ｐは、ＵＳＢ制御部２６の指示に基づいて、マルチメディアデータ処理部６１から入力されたマルチメディアデータを、メディアプレーヤー３００に送信する。
【０１１７】
メディアプレーヤー３００は、プロジェクター側コネクター５０に備わるＵＳＢ端子５０ｅからマルチメディアデータを受信し、内蔵する記憶媒体（図示せず）に記憶する。記憶媒体としては、例えば、ハードディスクドライブやフラッシュメモリー等とすることができる。
【０１１８】
プロジェクター２にメディアプレーヤー３００を装着した状態で、ユーザーが、画像情報や音声情報を再生するようにメディアプレーヤー側操作パネル３１０を操作すると、メディアプレーヤー３００は、画像情報や音声情報をメディアプレーヤー側コネクター３４０を介してプロジェクター２に出力する。プロジェクター２は、プロジェクター側コネクター５０を介して入力された画像情報や音声情報を、画像投写したり、音声出力したりすることができる。
【０１１９】
次に、本実施形態のプロジェクター２の動作について説明する。
プロジェクター２に外部からＡＣ１００Ｖ等の商用電源が供給されると、電源回路２８ｐは、制御部２０ｐ、プロジェクター側操作パネル２１、装着検知部２２、プロジェクター側コネクター５０に備わる電源端子５０ｆ等に電力（スタンバイ電力）の供給を行う。制御部２０ｐは、この電力供給を受けて、制御プログラムに従った動作を開始する。商用電源が供給された直後には、プロジェクター２は、スタンバイ状態であり、この状態では、制御部２０ｐは、プロジェクター側操作パネル２１の電源キーに対する操作（電源オン操作）、装着検知部２２からの通知、および、制御情報入力部２３ｐから入力される投写開始情報を監視する。そして、これらの情報を検知すると、制御部２０ｐは、電源回路２８ｐに指示をして画像の投写等に必要なメイン電力の供給を開始させ、プロジェクター２をオン状態とするとともに、光源１１ｐを点灯させる等の必要な初期動作を行う。この結果、プロジェクター２に入力された画像情報に基づいた画像が画像投写部１０ｐから投写される。
【０１２０】
ここで、プロジェクター２にメディアプレーヤー３００が装着されたときの動作について説明する。
図８は、プロジェクター２が電源オフの状態で、メディアプレーヤー３００が装着されたときの投写開始処理のフローチャートである。
【０１２１】
装着検知部２２は、装着部７０にメディアプレーヤー３００が装着されたか否かを検知する（ステップＳ３０１）。装着されていなければ（ステップＳ３０１：ＮＯ）、装着されるのを待ち続ける。メディアプレーヤー３００が装着されると（ステップＳ３０１：ＹＥＳ）、装着検知部２２は、制御部２０ｐに装着されたことを示す通知を出力する。この通知を受けると、制御部２０ｐは、初期処理を行う（ステップＳ３０２）。本実施形態では、初期処理は、ＣＰＵの初期化やＲＡＭ等のメモリーの初期化を行う。また、その他のソフトウェアやハードウェアの初期化等も行われる。次に、制御部２０ｐは、光源制御部２４に指示を出して、光源１１ｐを点灯させる（ステップＳ３０３）。
【０１２２】
制御部２０ｐは、画像入力選択部３１ｐに指示を出して、画像入力端子５０ｂを選択させ、画像入力端子５０ｂに入力されているメディアプレーヤー３００の画像情報を画像処理部３２に出力させる（ステップＳ３０４）。そして、制御部２０ｐは、画像処理部３２に指示を出して、画像の投写を開始させる（ステップＳ３０５）。このときの制御部２０ｐおよび画像処理部３２が、投写開始部に相当する。
【０１２３】
また、制御部２０ｐは、音声入力選択部４１ｐに指示を出して、音声入力端子５０ａを選択させ、音声入力端子５０ａに入力されているメディアプレーヤー３００の音声情報を音声処理部４２に出力させる（ステップＳ３０６）。そして、制御部２０ｐは、音声処理部４２および音声出力部４３ｐに指示を出して、音声の出力を開始させる（ステップＳ３０７）。
【０１２４】
次に、制御部２０ｐは、制御情報入力部２３ｐによって受信されるメディア入力操作情報を、有効な操作情報として受け付けるようにする（ステップＳ３０８）。さらに、制御部２０ｐは、プロジェクター側操作パネル２１が受け付ける入力操作の操作情報を無効とする（ステップＳ３０９）。このときの制御部２０ｐが、入力操作無効化部に相当する。
【０１２５】
次に、制御部２０ｐは、メディアプレーヤー３００が表示に用いている言語情報を、制御情報入力部２３ｐによって受信して入力し、その言語情報に基づいて、プロジェクター２の投写表示に用いられる言語設定部２７の言語設定値を変更する（ステップＳ３１０）。そして、メディアプレーヤー３００が装着されたときの投写開始処理を終了する。
【０１２６】
上述したように、プロジェクター２が電源オフの状態でメディアプレーヤー３００が装着されると、プロジェクター２は電源オンして、光源１１ｐの点灯や、投写を開始する。そして、プロジェクター２は、画像入力端子および音声入力端子をメディアプレーヤー３００側に切り替える。
【０１２７】
また、プロジェクター２は、メディアプレーヤー３００からのメディア入力操作情報の入力を可能とする。例えば、ユーザーがメディアプレーヤー側操作パネル３１０に入力操作を行い、制御情報入力部２３ｐが、メディア入力操作情報として投写輝度を制御するための輝度情報を入力すると、制御部２０ｐは、光源制御部２４に当該輝度情報に基づいた光源１１ｐの明るさになるように指示をする。また、制御情報入力部２３ｐが、メディア入力操作情報として、音量を制御するための音量情報を入力すると、制御部２０ｐは、音声出力部４３ｐに当該音量情報に基づいた音量になるように指示をする。また、プロジェクター２は、メディアプレーヤー３００からの言語情報に基づいて言語設定値を変更する。
【０１２８】
次に、プロジェクター２が電源オンの状態、即ち画像の投写や音声の出力を行っている状態で、メディアプレーヤー３００が装着されたときの動作について説明する。
図９は、プロジェクター２が電源オンの状態で、メディアプレーヤー３００が装着されたときの投写開始処理のフローチャートである。
【０１２９】
装着検知部２２は、装着部７０にメディアプレーヤー３００が装着されたか否かを検知する（ステップＳ４０１）。装着されていなければ（ステップＳ４０１：ＮＯ）、装着されるのを待ち続ける。メディアプレーヤー３００が装着されると（ステップＳ４０１：ＹＥＳ）、装着検知部２２は、制御部２０ｐに装着されたことを示す通知を出力する。この通知を受けると、制御部２０ｐは、画像入力選択部３１ｐに指示を出して、画像入力端子５０ｂを選択させ、画像入力端子５０ｂに入力されているメディアプレーヤー３００の画像情報を画像処理部３２に出力させる（ステップＳ４０２）。
【０１３０】
制御部２０ｐは、音声入力選択部４１ｐに指示を出して、音声入力端子５０ａを選択させ、音声入力端子５０ａに入力されているメディアプレーヤー３００音声情報を音声処理部４２に出力させる（ステップＳ４０３）。
【０１３１】
次に、制御部２０ｐは、制御情報入力部２３ｐによって受信されるメディア入力操作情報を、有効な操作情報として受け付けるようにする（ステップＳ４０４）。さらに、制御部２０ｐは、プロジェクター側操作パネル２１が受け付ける入力操作の操作情報を無効とする（ステップＳ４０５）。
【０１３２】
次に、制御部２０ｐは、メディアプレーヤー３００が表示に用いている言語情報を制御情報入力部２３ｐによって受信して入力し、その言語情報に基づいてプロジェクター２の投写表示に用いられる言語設定部２７の言語設定値を変更する（ステップＳ４０６）。そして、メディアプレーヤー３００が装着されたときの投写開始処理を終了する。
【０１３３】
上述したように、プロジェクター２が電源オンの状態でメディアプレーヤー３００が装着されると、プロジェクター２は、画像入力端子および音声入力端子をメディアプレーヤー３００側に切り替える。また、プロジェクター２は、メディアプレーヤー３００からのメディア入力操作情報の入力を可能とする。さらに、プロジェクター２は、メディアプレーヤー３００の言語情報に基づいて言語設定値を変更する。
【０１３４】
上述した実施形態によれば、以下の効果が得られる。
（１）プロジェクター２は、装着部７０にメディアプレーヤー３００を一体的に装着する。そして、プロジェクター側コネクター５０は、メディアプレーヤー側コネクター３４０と嵌合し、メディアプレーヤー３００から画像情報を入力して、プロジェクター２は、画像情報に基づいた画像を投写する。これにより、メディアプレーヤー３００が記憶する画像情報に基づいた画像を複数の人で共有して鑑賞することが可能となる。また、ケーブル等の配線を不要とした態様で、プロジェクター２とメディアプレーヤー３００とを接続して画像を投写することが可能になるため、利便性が向上する。また、ケーブル等の配線が無いため、画像投写時において、プロジェクター２の設置の自由度が向上する。
【０１３５】
（２）プロジェクター２は、メディアプレーヤー３００が装着されると、メディアプレーヤー３００から音声情報を入力する。そして、プロジェクター２は、音声情報に基づいた音声を出力する。これにより、メディアプレーヤー３００が記憶する音声情報に基づいた音声を複数の人で共有して鑑賞することが可能となる。また、ケーブル等の配線を不要とした態様で、プロジェクター２とメディアプレーヤー３００とを接続して音声を出力することが可能になるため、利便性が向上する。また、ケーブル等の配線が無いため、画像投写時においてプロジェクター２の設置の自由度が向上する。
【０１３６】
（３）プロジェクター２は、メディアプレーヤー３００が装着されると、メディアプレーヤー側操作パネル３１０が受け付けた入力操作に基づくメディア入力操作情報を、有効な操作情報として受け付ける。そして、制御部２０ｐは、メディア入力操作情報に基づいてプロジェクター２を制御する。これにより、ユーザーは、メディアプレーヤー３００に対して入力操作を行うことで、プロジェクター２を操作制御することが可能になるため、利便性が向上する。つまり、プロジェクター２の操作に不慣れなユーザーであっても、メディアプレーヤー３００に対して入力操作を行うことで、プロジェクター２を容易に操作制御することができる。
【０１３７】
（４）プロジェクター２は、メディアプレーヤー３００が装着された場合には、プロジェクター側操作パネル２１が受け付ける操作情報を無効とする。即ち、プロジェクター２は、メディアプレーヤー３００からのメディア入力操作情報のみによって、操作制御される。これにより、ユーザーは、プロジェクター２に備わるプロジェクター側操作パネル２１の操作方法を把握する必要がなくなる。よって、プロジェクター側操作パネル２１の操作方法を把握していないユーザーが、プロジェクター側操作パネル２１を操作してしまっても、プロジェクター２は意図しない動作をすることがないため、ユーザーが当惑してしまう事態を回避することが可能となる。
【０１３８】
（５）プロジェクター２は、メディアプレーヤー３００から、投写輝度を制御するための輝度情報や、音量を制御するための音量情報を、メディア入力操作情報として入力することができる。これにより、ユーザーは、メディアプレーヤー３００に対して入力操作を行うことで、プロジェクター２の投写輝度や音量を制御することが可能になるため、有益である。
【０１３９】
（６）プロジェクター２は、電源オフの状態でメディアプレーヤー３００が装着されると、電源オンして、メディアプレーヤー３００から入力された画像の投写や音声の出力を開始する。これにより、ユーザーは、投写開始や音声出力開始のためのプロジェクター２の電源オンや、入力切替の操作を行う必要が無いため、利便性が向上する。
【０１４０】
（７）プロジェクター２は、電源オンの状態でメディアプレーヤー３００が装着されると、メディアプレーヤー３００から入力された画像の投写や音声の出力を開始する。これにより、ユーザーは、入力切替の操作を行う必要が無いため、利便性が向上する。
【０１４１】
（８）メディアプレーヤー３００は、時計機能を有しており、ユーザーが設定した所定の時刻に投写開始情報をプロジェクター２に送信する。そして、プロジェクター２は、メディアプレーヤー３００から受信した投写開始情報に応じて画像の投写や音声の出力を開始する。これにより、プロジェクター２は、ユーザーの所望の時刻に画像の投写や音声の出力を開始することが可能となるため、有益である。このような態様を用いることで、例えば、ユーザーは、起床時刻にプロジェクター２に画像の投写や音声の出力を行わせて、目覚まし装置として使用することが可能になる。
【０１４２】
（９）プロジェクター２は、メディアプレーヤー３００が装着されると、メディアプレーヤー３００から言語情報を入力する。そして、その言語情報に基づいて言語設定部２７の言語設定値を変更する。これにより、ユーザーが言語の設定を変更するための操作を行うことなく、プロジェクター２の言語の設定をメディアプレーヤー３００と同様にすることが可能となるため、有益である。
【０１４３】
（１０）プロジェクター２は、メディアプレーヤー３００からマルチメディアデータのダウンロード要求情報を受信すると、ネットワーク５００から画像情報や音声情報を含むマルチメディアデータを受信し、メディアプレーヤー３００にＵＳＢ送信する。メディアプレーヤー３００は、受信したマルチメディアデータのファイルを記憶する。これにより、ユーザーが、メディアプレーヤー側操作パネル３１０に対して、マルチメディアデータをダウンロードするように入力操作を行うことで、メディアプレーヤー３００は、ネットワーク５００からプロジェクター２を介して、マルチメディアデータをダウンロードすることが可能になるため、有益である。
【０１４４】
（１１）プロジェクター２は、メディアプレーヤー３００が装着されると、メディアプレーヤー３００に電力を供給する。これにより、メディアプレーヤー３００は、プロジェクター２から電力の供給を受けて動作することが可能になる。よって、例えば、メディアプレーヤー３００に内蔵される電池の消耗を抑制したり、内蔵される電池が二次電池であれば、充電したりすることができるため、有益である。
【０１４５】
なお、上述した実施形態に限定されず、種々の変更や改良等を加えて実施することが可能である。変形例を以下に述べる。
【０１４６】
（変形例１）上記実施形態では、外部ネットワークやネットワーク５００から受信したマルチメディアデータをメディアプレーヤー部１００やメディアプレーヤー３００に送信する手段として、ＵＳＢ制御部２６およびＵＳＢ通信部６２（６２ｐ）とを備えているが、ＵＳＢ以外の規格の通信手段を使用してもよい。例えば、ＩＥＥＥ１３９４等としてもよい。
【０１４７】
（変形例２）上記第１の実施形態では、音声はステレオミニジャック４４から出力するものとしたが、スピーカーを備えて、当該スピーカーから音声を出力してもよい。
【０１４８】
（変形例３）上記第２の実施形態では、音声はスピーカー４５から出力するものとしたが、ステレオミニジャックを備えて、当該ステレオミニジャックから音声を出力してもよい。
【０１４９】
（変形例４）上記第２の実施形態では、プロジェクター２にメディアプレーヤー３００が装着されると、プロジェクター側コネクター５０とメディアプレーヤー側コネクター３４０とが嵌合し、各種入出力端子を介して、画像情報や音声情報、および各種の情報を入出力するものとしたが、コネクターを介すことなく、無線でこれらの情報を入出力してもよい。つまり、プロジェクター２とメディアプレーヤー３００は、それぞれ無線通信部を備え、プロジェクター２にメディアプレーヤー３００が装着されると、画像情報や音声情報、および各種の情報を無線で送受信するものとしてもよい。
【０１５０】
（変形例５）上記第２の実施形態では、プロジェクター２は、メディアプレーヤー３００が装着された場合には、プロジェクター側操作パネル２１の入力操作を無効としているが、プロジェクター側操作パネル２１に備わる電源オンキーの操作は有効としてもよい。こうすれば、ユーザーは、メディアプレーヤー３００が装着されていても、プロジェクター２の画像投写の開始／終了を行うことができる。
【０１５１】
（変形例６）上記第２の実施形態では、電源回路２８ｐは、外部からＡＣ１００Ｖ等の商用電源が供給されるものとしたが、プロジェクター２に内蔵電源（図示せず）を備えるものとしてもよい。そして、その内蔵電源からプロジェクター２の各部や、メディアプレーヤー３００に電力を供給してもよい。
【０１５２】
（変形例７）上記実施形態では、光変調装置として、透過型の液晶ライトバルブ１２を用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を用いることもできる。
【符号の説明】
【０１５３】
１，２…プロジェクター、１０，１０ｐ…画像投写部、１１，１１ｐ…光源、１２…液晶ライトバルブ、１３，１３０…投写レンズ、１４…ライトバルブ駆動部、２０，２０ｐ…制御部、２１…プロジェクター側操作パネル、２２…装着検知部、２３，２３ｐ…制御情報入力部、２４…光源制御部、２５…通信制御部、２６…ＵＳＢ制御部、２７…言語設定部、２８，２８ｐ…電源回路、２９…内蔵電源、３０…画像入力端子群、３１，３１ｐ…画像入力選択部、３２…画像処理部、４０…音声入力端子群、４１，４１ｐ…音声入力選択部、４２…音声処理部、４３，４３ｐ…音声出力部、４４，３３０…ステレオミニジャック、４５…スピーカー、５０…プロジェクター側コネクター、６０，６０ｐ…ネットワーク通信部、６１…マルチメディアデータ処理部、６２，６２ｐ…ＵＳＢ通信部、７０…装着部、１００…メディアプレーヤー部、１１０…操作パネル、１２０…表示部、１５０…コネクター、１７０…表示選択部、１８０…時計機能部、３００…メディアプレーヤー、３１０…メディアプレーヤー側操作パネル、３２０…メディアプレーヤー表示部、３４０…メディアプレーヤー側コネクター、５００…ネットワーク、１０００，２０００…筐体、ＳＣ…スクリーン。
【図１】
2010217825.tif 000003
【図２】
2010217825.tif 000004
【図３】
2010217825.tif 000005
【図４】
2010217825.tif 000006
【図５】
2010217825.tif 000007
【図６】
2010217825.tif 000008
【図７】
2010217825.tif 000009
【図８】
2010217825.tif 000010
【図９】
2010217825.tif 000011